(57)【要約】  本発明は、照明デバイスの真正性の検証に関するものである。符号化された光を発することが可能な照明デバイスが生成される。照明デバイスは、チャレンジを受け取る受信器と、チャレンジに対するレスポンスを生成し、伝達するレスポンス伝達器とを有している。レスポンスは、チャレンジ及び秘密鍵を組み合わせて用いることにより生成される。更に、照明デバイスの真正性を調べるために、チャレンジを生成して照明デバイスに与え、レスポンスを分析する対応する検証デバイスが与えられる。
2015537416.tif 000002
【特許請求の範囲】
【請求項１】
少なくとも１つの光エミッタと、
第１の通信チャネルを介してチャレンジを受け取る受信器と、
前記チャレンジに対するレスポンスを生成し、前記少なくとも１つの光エミッタにより発せられる光を符号化することにより第２の通信チャネルを介して前記レスポンスを伝達するレスポンス伝達器であって、前記レスポンスは、少なくとも前記照明デバイスに事前に与えられる秘密鍵及び前記チャレンジに基づく当該レスポンス伝達器と
を有する、照明デバイス。
【請求項２】
前記レスポンス伝達器が前記秘密鍵を用いて前記チャレンジを暗号化し、前記レスポンスが前記秘密鍵を用いて暗号化された前記チャレンジを有する、請求項１記載の照明デバイス。
【請求項３】
前記レスポンス伝達器が認証符号を生成し、前記レスポンスが前記認証符号を有する、請求項１記載の照明デバイス。
【請求項４】
前記第１の通信チャネルが、当該照明デバイスに前記チャレンジを与えるために動作するスイッチを有する、請求項１ないし３のいずれか一項に記載の照明デバイス。
【請求項５】
前記第１の通信チャネルがセンサを有する、請求項１ないし４のいずれか一項に記載の照明デバイス。
【請求項６】
前記レスポンスが鍵識別子を更に有する、請求項１ないし５のいずれか一項に記載の照明デバイス。
【請求項７】
出力光を符号化することにより情報を伝達する照明デバイスの真正性を検証する検証デバイスであって、
前記照明デバイスへのチャレンジを生成するチャレンジ生成器と、
第１の通信チャネルを介して前記照明デバイスに前記チャレンジを伝達するチャレンジ伝達器と、
光の符号化を用いて第２の通信チャネルを介して前記照明デバイスから前記チャレンジに対するレスポンスを受け取るチャレンジ受信器と、
前記レスポンスを基準と比較することにより前記照明デバイスの真正性を決定する真正性検証器であって、前記レスポンスは、少なくとも当該検証デバイスに事前に与えられる秘密鍵及び前記チャレンジに基づく当該真正性検証器と
を有する、当該検証デバイス。
【請求項８】
前記チャレンジ伝達器が、信号を伝達する信号アクチュエータを有する、請求項７記載の検証デバイス。
【請求項９】
前記チャレンジ伝達器が、オペレータインターフェースを有し、前記照明デバイスの電力スイッチを制御する命令をオペレータに与える、請求項７又は８記載の検証デバイス。
【請求項１０】
照明デバイスの真正性を検証する検証システムであって、請求項１記載の照明デバイス及び請求項７記載の検証デバイスを有する、当該検証システム。
【請求項１１】
出力光を符号化することにより情報を伝達することができる照明デバイスの真正性を検証する方法であって、
検証デバイスによりチャレンジを生成するステップと、
第１の通信チャネルを介して照明デバイスに前記チャレンジを与えるステップと、
前記照明デバイスの前記光出力の前記符号化を含む第２の通信チャネルを介した前記検証デバイスにおける前記チャレンジに対するレスポンスを受け取るステップと、
前記レスポンスを基準と比較することにより前記照明デバイスの真正性を検証するステップであって、前記レスポンスは、前記照明デバイス及び前記検証デバイスの両方に事前に与えられる秘密鍵と前記チャレンジとの組み合わせに基づく、当該検証ステップと
を有する、当該方法。
【請求項１２】
前記照明デバイスにチャレンジを与えるステップが、前記照明デバイスに前記チャレンジをワイヤレスで伝達するステップを有する、請求項１１記載の方法。
【請求項１３】
前記照明デバイスにチャレンジを与えるステップは、
ユーザが特定の持続時間のオン−オフシーケンスを前記照明デバイスに入力するようにするステップを有し、
当該方法が、前記照明デバイスにおける前記持続時間を測定するステップと、測定された持続時間を前記検証デバイスに伝達するステップと、前記測定された持続時間が所定の範囲内で前記特定の持続時間に対応することを前記検証デバイスにおいて調べるステップとを更に有する、請求項１１記載の方法。
【請求項１４】
前記第１の通信チャネルが当該照明デバイスへの電力供給部を含む、請求項１ないし６のいずれか一項に記載の照明デバイス。
【請求項１５】
照明デバイスの電力スイッチからのクリック音を感知する音センサを有する、請求項７ないし９のいずれか一項に記載の検証デバイス。
【発明の詳細な説明】
【技術分野】
【０００１】
本発明は、照明デバイスの真正性の検証に関する。
【背景技術】
【０００２】
照明デバイスの光出力を符号化することにより情報を伝達する能力を当該照明デバイスに与えることは、最近の通信技術である。光通信は、典型的には或る領域又は部屋に限定される。この新しい技術は魅力的であるが、特許権により保護されている。照明デバイスがライセンスを受けている製造業者により製造されたオリジナルの製品であり、偽造物ではないことを遠隔で検証することができることは有利であろう。そのような先行技術の照明デバイス又は検証デバイスは存在しない。
【発明の概要】
【発明が解決しようとする課題】
【０００３】
本発明の目的は、照明デバイス、検証デバイス及び照明デバイスの真正性を検証する方法を提供することにある。
【課題を解決するための手段】
【０００４】
上記目的は、請求項１記載の本発明に係る照明デバイス、請求項７記載の検証デバイス、請求項１１記載の照明デバイスの真正性を検証する方法により達成される。
【０００５】
本発明の基本的な考え方は、照明デバイスが最初の（original）製造業者若しくはライセンシーにより有効に製造されているかどうか又は偽造品であるかどうかを単純かつ信頼性の高いやり方で提供することである。
【０００６】
従って、本発明の一観点によれば、少なくとも１つの光エミッタと、第１の通信チャネルを介してチャレンジを受け取る受信器と、上記チャレンジに対するレスポンスを生成し、上記少なくとも１つの光エミッタにより発せられる光を符号化することにより第２の通信チャネルを介して上記レスポンスを伝達するレスポンス伝達器であって、上記レスポンスは、少なくとも上記照明デバイスに事前に与えられる秘密鍵及び上記チャレンジに基づく当該レスポンス伝達器とを有する照明デバイスが与えられる。
【０００７】
上記第２の通信チャネルは、上記第１の通信チャネルと異なっていてもよい。
【０００８】
上記照明デバイスは、有利なことに、チャレンジに対処し、そのようなチャレンジと秘密鍵との組み合わせに基づく当該チャレンジに対するレスポンスを与える能力を備えている。それ自体は知られており、セキュア通信についての文献に説明されているチャレンジの本質は、それが反射（replay）攻撃を防止する一時的な又は任意に変化するパラメータであることである。従って、秘密鍵及びチャレンジの両方に基づいてレスポンスすることにより、非真正の照明デバイスを真正と決定する可能性が非常に低い。
【０００９】
追加として、照明デバイスがレスポンスを伝えるために既に有している光を符号化する機能及び照明デバイスにチャレンジを与える異なる通信チャネルを用いることにより、後者は、以下に説明される種々の実施形態から明らかであるように、非常に簡単になされ得る。
【００１０】
上記照明デバイスの一実施形態によれば、上記レスポンス伝達器は上記秘密鍵を用いて上記チャレンジを暗号化し、上記レスポンスは上記秘密鍵を用いて暗号化された上記チャレンジを有している。チャレンジを暗号化する鍵を用いることは、照明デバイスに安全なレスポンスを生成する能力を与える１つの有利なやり方である。
【００１１】
上記照明デバイスの一実施形態によれば、上記レスポンス伝達器は認証符号を生成し、上記レスポンスは上記認証符号を有している。これは、照明デバイスに安全なレスポンスを生成する能力を与える他の有利なやり方である。
【００１２】
上記照明デバイスの一実施形態によれば、上記第１の通信チャネルは、当該照明デバイスに上記チャレンジを与えるために動作するスイッチを有している。これにより、照明デバイスにチャレンジを受け取るいかなる別のセンサも必要ない。
【００１３】
上記照明デバイスの一実施形態によれば、上記第１の通信チャネルはセンサを有している。これにより、可聴伝達、可視光伝達、赤外光伝達、無線伝達等のようなワイヤレス伝達によってチャレンジを受け取ることが可能である。
【００１４】
上記照明デバイスの一実施形態によれば、上記レスポンスは鍵識別子を更に有している。
【００１５】
本発明の他の観点によれば、出力光を符号化することにより情報を伝達する照明デバイスの真正性を検証する検証デバイスであって、上記照明デバイスへのチャレンジを生成するチャレンジ生成器と、第１の通信チャネルを介して上記照明デバイスに上記チャレンジを伝達するチャレンジ伝達器と、光の符号化を用いて第２の通信チャネルを介して上記照明デバイスから上記チャレンジに対するレスポンスを受け取るチャレンジ受信器と、上記レスポンスを基準と比較することにより上記照明デバイスの真正性を決定する真正性検証器であって、上記レスポンスは、少なくとも当該検証デバイスに事前に与えられる秘密鍵及び上記チャレンジに基づく当該真正性検証器とを有する当該検証デバイスが与えられる。
【００１６】
上記検証デバイスは、有利なことに、チャレンジを生成する能力と、少なくともそのようなチャレンジ及び秘密鍵に基づいて当該チャレンジに対するレスポンスを処理する能力とを備えている。これにより、上記照明デバイスと合わせて述べられるように、反射攻撃が防止される。
【００１７】
上記検証デバイスの一実施形態によれば、上記チャレンジ伝達器は、信号を伝達する信号アクチュエータを有している。これにより、照明デバイスにチャレンジを与えることが快適である。
【００１８】
上記検証デバイスの一実施形態によれば、上記チャレンジ伝達器は、オペレータインターフェースを有し、上記照明デバイスの電力スイッチを制御する命令をオペレータに与える。他方で、この実施形態は、信号を受け取る照明デバイスにおいて特定の構成要素の要求を容易にする。
【００１９】
本発明の他の観点によれば、出力光を符号化することにより情報を伝達することができる照明デバイスの真正性を検証する方法であって、検証デバイスによりチャレンジを生成するステップと、第１の通信チャネルを介して照明デバイスに上記チャレンジを与えるステップと、上記照明デバイスの上記光出力の上記符号化を含む第２の通信チャネルを介した上記検証デバイスにおける上記チャレンジに対するレスポンスを受け取るステップと、上記レスポンスを基準と比較することにより上記照明デバイスの真正性を検証するステップであって、上記レスポンスは、上記照明デバイス及び上記検証デバイスの両方に事前に与えられる秘密鍵と上記チャレンジとの組み合わせに基づく当該検証ステップとを有する当該方法が与えられる。
【００２０】
上記方法は、上記照明デバイス及び検証デバイスに対応する利点を与える。
【００２１】
上記方法の一実施形態によれば、上記照明デバイスにチャレンジを与える動作は、ユーザが特定の持続時間のオン−オフシーケンスを上記照明デバイスに入力するようにする。上記方法は、更に、上記照明デバイスにおける上記持続時間を測定することと、測定された持続時間を上記検証デバイスに伝達することと、上記測定された持続時間が所定の範囲内で上記特定の持続時間に対応することを上記検証デバイスにおいて調べることとを有している。
【００２２】
この実施形態の利点は、検証デバイスから直接送られる信号を受け取る装置を照明デバイスに与える必要がないことである。
【００２３】
本発明のこれらの及び他の観点及び利点は、以下に説明される実施形態から明らかであり、以下に説明される実施形態を参照して理解されるであろう。
【図面の簡単な説明】
【００２４】
本発明が、より詳細に、添付の図面を参照して説明される。
【００２５】
【図１】本発明に係る検証システムの実施形態の模式的な全体図である。
【図２】本発明に係る検証システムの実施形態の模式的な全体図である。
【図３】本発明に係る検証システムの実施形態の模式的な全体図である。
【図４】本発明に係る照明デバイス及び検証デバイスの実施形態のブロック図である。
【図５】本発明に係る照明デバイス及び検証デバイスの実施形態のブロック図である。
【図６】本発明に係る照明デバイス及び検証デバイスの実施形態のブロック図である。
【図７】照明デバイスの真正性を検証する方法の一実施形態の流れ図である。
【発明を実施するための形態】
【００２６】
本発明の直観的理解を与えるために、検証デバイス及び１つ以上の照明デバイスを含む検証システムの実施形態が、図１ないし図３とともに簡潔に説明される。更に、より詳細な説明が他の図を参照して続く。従って、検証システム１００の第１の実施形態によれば、検証システム１００は、検証デバイス１０２の第１の実施形態と、出力光を符号化することにより情報を伝達する少なくとも１つの照明デバイス１０４の第１の実施形態とを有している。典型的には、上記符号化は、情報を具現化するパルスシーケンスが発せられるように照明デバイス１０４の光エミッタへの駆動信号を制御することにより行われる。１つの広く知られた技術は、ＰＷＭ（パルス幅変調）制御可能な光エミッタを備えた照明デバイスを用いることであるが、他の技術も存在する。パルスシーケンスのパルス周波数は、パルスシーケンスを人間の目に見えなくするのに十分に高い。光の符号化の多くの先行技術の例が存在し、従って、ここではより詳細には説明されない。簡単にするために、この説明は単一の照明デバイスのケースを説明するが、一度に幾つかの照明デバイスの真正性を調べるために同様に機能することが理解される。照明デバイス１０４への電力供給は、この実施形態では、真正性のチェックにも関わる電力スイッチ１０６により制御される。
【００２７】
図４の大部分が模式的なブロック図を参照すると、照明デバイス１０４は、赤、緑及び青色光ＬＥＤ（発光ダイオード）エミッタ１０８、１１０、１１２を有しており、ＬＥＤエミッタは、３つよりも少なく存在しても、３つよりも多く存在してもよく、白を含む他の色でもあり得る。ＬＥＤに加えて、光エミッタは、符号化光を発するように制御可能な任意の種類のものであり得る。更に、照明デバイス１０４は、光エミッタ１０８、１１０、１１２に接続されるドライバ１１４と、照明デバイス１０４の出力光を制御し、ドライバ１１４に接続される制御ユニット１１６とを有している。制御ユニット１１６は、ドライバ１１４に接続され、光エミッタ１０８、１１０、１１２により発せられる光を符号化する光符号化ユニット１１８を有している。更に、制御ユニット１１６は、第１の通信チャネル１２２を介してチャレンジを受け取るチャレンジ受信器１２０と、符号化ユニット１１８を用いて第２の通信チャネル１２６を介して上記チャレンジに対するレスポンスを生成して伝達するレスポンス伝達器１２４とを有している。
【００２８】
検証デバイス１０２は、上記照明デバイスの真正性を検証するために設けられており、制御ユニット１２８及びオペレータインターフェース１３０を有している。上記制御ユニットは、照明デバイス１０４に対するチャレンジを生成するチャレンジ生成器１３２と、第１の通信チャネル１２２を介して照明デバイス１０４にチャレンジを伝達するチャレンジ伝達器１３４とを有している。更に、検証デバイス１０２の制御ユニット１２８は、第２の通信チャネル１２６を介して照明デバイス１０４からのレスポンスを受け取るレスポンス受信器１３６と、照明デバイス１０４の真正性を決定する真正性検証器１３８とを有している。レスポンス受信器１３６は、照明デバイス１０４により発せられる符号化光を感知する光センサ１４０を有している。
【００２９】
真正性の手順は、少なくとも検証デバイス１０２及び照明デバイス１０４の両方に事前に与えられている秘密鍵Ｋ及びチャレンジｎに基づいてレスポンスを生成することを含んでいる。その場合、レスポンスＲは、
Ｒ＝Ｆ（Ｋ，ｎ）      式１
により表され得る。ここで、Ｆは、パラメータとしての鍵Ｋ及びチャレンジｎを有する応答関数を表している。この関数は、メッセージ認証符号（ＭＡＣ）のような任意のタイプの適切な暗号関数（cryptographic function）又はチャレンジｎが秘密鍵Ｋにより暗号化される暗号化関数（encryption function）であり得る。
【００３０】
秘密鍵Ｋは、各照明デバイス、各製造業者、各権利所有者等に固有である。少なくとも幾つかの異なる秘密鍵が存在するケースでは、秘密鍵Ｋは、検証デバイス１０２及び照明デバイス１０４の両方に知られている識別子ＩＤＫでなければならない。従って、検証デバイス１０２は、どのケースが目下のケースであるかに依存して、単一の秘密鍵Ｋ、単一の秘密鍵Ｋ及び単一の識別子ＩＤＫ又は幾つかの識別子ＩＤＫを具備している。識別子ＩＤＫが照明デバイス１０４に存在すると、上記レスポンスは、更にその識別子ＩＤＫを有する。すなわち、
Ｒ＝｛ＩＤＫ，Ｆ（Ｋ，ｎ）｝      式２
である。
【００３１】
全体の動作は、チャレンジｎが検証デバイス１０２により生成され、第１の通信チャネル１２２を介して照明デバイス１０４に与えられ、照明デバイス１０４が第２の通信チャネル１２６を介して符号化された光の伝達を含むレスポンスＲを返すことである。より詳細には、この実施形態では、照明デバイス１０４にチャレンジを与える動作は、最初に、オペレータが、電力スイッチ１０６によって所定のオン／オフシーケンスに入ることにより検証を開始することを含んでおり、図７の四角の枠７００を参照されたい。これにより、照明デバイス１０４は、検証デバイス１０２からチャレンジを受け取ることになることを知る。その後、チャレンジは、オン／オフスイッチのシーケンスの持続時間として検証デバイス１０２により生成される。持続時間の長さは、ランダムに決定され、従って、照明デバイス１０４により事前に知られない。それによって、セキュリティが上記に説明されたように高い。照明デバイス１０４にチャレンジｎを与える動作は、更に、シーケンス及び持続時間がオペレータインターフェース１３０のディスプレイに示され、オペレータが照明デバイス１０４にチャレンジを与えるように指示されること（四角の枠７０２を参照）、及び、オペレータがスイッチ１０６を用いてシーケンスを照明デバイス１０４に入力することを有している。上記持続時間は、照明デバイス１０４により測定され（四角の枠７０４を参照）、その後、符号化光シーケンスにより検証デバイス１０２に伝達される（四角の枠７０６を参照）。符号化光シーケンスは、光センサ１４０を介して検証デバイス１０２のレスポンス受信器１３６により受け取られ、これは四角の枠７０８を参照されたい。受け取られた光信号はレスポンス受信器１３６により復号され、照明デバイス１０４から受け取られる測定された持続時間は最初に生成された持続時間と比較され、これは四角の枠７１０を参照されたい。これは、反射攻撃を防止するために行われる。差が十分に小さい、すなわち、所定の限度よりも低い場合は、それが新しい決定値であり、リプレイの一部ではない又は攻撃者によりランダムに生成されたものではないことが決定される。持続時間が予測され得る場合又は静的である若しくは攻撃者に知られている場合、レスポンスがリプレイされる危険性がある。
【００３２】
次のステップは、照明デバイス１０４がチャレンジとして上記持続時間を用い、識別子が用いられるか否かに依存して上述した式１又は式２により当該チャレンジに対するレスポンスを生成することである（四角の枠７１４を参照）。その後、照明デバイス１０４は、光出力の符号化によりレスポンスＲを検証デバイス１０２に伝達し、これは四角の枠７１６を参照されたい。レスポンスＲが受け取られ、光がレスポンス受信器１３６により復号され（四角の枠７１８を参照）、真正性検証器１３８に供給される。真正性検証器１３８は、照明デバイスが正しい秘密鍵を用いたかを調べるために受け取ったレスポンスを基準と比較する。より詳細には、暗号化関数の場合、暗号化関数は、秘密鍵Ｋによりレスポンスを解読し、埋め込まれたチャレンジを調べ（四角の枠７２０を参照）、ＭＡＣの場合には、ＭＡＣを生成し、照明デバイス１０４から受け取られたＭＡＣと一致することを調べるために、検証デバイス１０２は受け取った測定持続時間及び秘密鍵を用いる。肯定的である場合及び上述した差が十分に小さかった場合、照明デバイス１０４は真正であることを決定し（四角の枠７２２を参照）、そうでなければ、非真正であることを決定する（四角の枠７２４を参照）。この最終結果は、ディスプレイ１３０に示される。
【００３３】
持続時間に関しては、代替のやり方で処理され得る。例えば、当初生成された持続時間と照明デバイス１０４により行われた持続時間の測定値との比較は、受け取ったレスポンスを解読した後、最後に行われ得る。暗号関数に依存して、チャレンジ、すなわち、持続時間が間違って測定された場合、秘密鍵を回復させることは可能ではなく、持続時間の別の比較が必要とされない。更に他の代替策は、比較が図７を参照して説明されたようになされること、差が大きすぎる場合、検証デバイス１０２は照明デバイスからのレスポンスを全く無視し、オペレータインターフェース１３０に非真正のメッセージを直接的に与えることである。
【００３４】
図５に模式的に示されている検証デバイス２０２の第２の実施形態によれば、検証デバイス２０２は、マイクロフォン１４２である１つの追加の要素を除いて図４における参照符号と同じ参照符号で示された第１の実施形態と同じ要素を有している。照明デバイス２０４の第２の実施形態は、第１の実施形態と同じ要素を有しており、同じ参照符号が与えられている。
【００３５】
検証デバイス２０２及び照明デバイス２０４の第２の実施形態の動作は、以下の通りである。上記第１の実施形態と比較して、チャレンジの承認に関連する行為を除いて全ての行為が同じである。従って、検証の手順は、第１の実施形態のようにスイッチ１０６を切り換えるオペレータによる照明デバイス２０４へのオン／オフシーケンスの入力で開始される。その後、第１の実施形態のように、チャレンジが検証デバイス２０２により生成され、スイッチ１０６を切り換えるオペレータによる照明デバイス２０４へのオン／オフシーケンスとして入力される。その後、照明デバイス２０４はシーケンスの持続時間を測定する。しかしながら、照明デバイス２０４から検証デバイス２０２へ測定された持続時間を伝達する代わりに、検証デバイス２０２も同様に持続時間を測定する。この測定は、オン及びオフを切り替えられる際にスイッチ１０６のクリック音を記録するマイクロフォン１４２により行われる。従って、検証デバイス２０２及び照明デバイス２０４の両方により測定される持続時間が、連続する検証プロセスに用いるための実際のチャレンジと見なされる。その結果、この方法の第２の実施形態では、検証デバイスが照明デバイス２０４により行われる測定の正確さを調べる必要がないが、検証プロセスは、第１の実施形態のようにレスポンスＲ等を生成する照明デバイス２０４により続く。
【００３６】
図３及び図６に示されている検証システム、検証デバイス３０２及び照明デバイス３０４の第３の実施形態によれば、検証デバイス３０２は、チャレンジアクチュエータ１４４を加えた第１の実施形態と同じ要素を有している。照明デバイス３０４は、チャレンジセンサ１４６を加えた第１の実施形態と同じ要素を有している。チャレンジアクチュエータ１４４はチャレンジ伝達器１３４に含まれ、チャレンジセンサ１４６はチャレンジ受信器１２０に含まれ、チャレンジアクチュエータ１４４とチャレンジセンサ１４６との間に第１の通信チャネル１４８が確立されている。チャレンジアクチュエータ１４４は、例えば、超音波、赤外光、可視光、無線伝送又は任意の他の好適なタイプの無線技術を用いてワイヤレスでチャレンジを照明デバイス３０４に伝達する。典型的には、照明デバイスに既に存在するセンサが用いられる。例えば、照明デバイスは、典型的には、日照センサ又は超音波センサを備えている。
【００３７】
その結果、照明デバイス３０４の真正性を検証する方法の第３の実施形態は、以下のように実行される。チャレンジ伝達器１３４は、第１の通信チャネル１４８を介して開始検証コマンドを伝達する。開始検証コマンドは、チャレンジセンサ１４６を介して照明デバイス３０４のチャレンジ受信器により受け取られ、その結果として、照明デバイス３０４はチャレンジを待つ検証モードに設定される。次に、検証デバイス３０２が、チャレンジ生成器１３２によりチャレンジを生成し、チャレンジアクチュエータ１４４を介してチャレンジ伝送器１３４を用いて照明デバイスにチャレンジを伝達する。検証手順の残りは、上記第２の実施形態の手順と同様であり、繰り返されない。
【００３８】
添付の特許請求の範囲に規定される照明デバイス、検証デバイス及び本発明に係る照明デバイスの真正性を検証する方法の上記実施形態が説明された。これらは単に非限定的な例と専らみなされるべきある。当業者により理解されるように、多くの修正例及び代替の実施形態が添付の特許請求の範囲により規定される本発明の範囲内において可能である。
【００３９】
本出願の目的に関して、及び特に添付の特許請求の範囲に関して、「有する」という語は他の構成要素又はステップを排除するものではなく、「a」又は「an」という語は複数を排除するものではなく、それ自体は当業者には明らかである。
【図１】
2015537416.tif 000003
【図２】
2015537416.tif 000004
【図３】
2015537416.tif 000005
【図４】
2015537416.tif 000006
【図５】
2015537416.tif 000007
【図６】
2015537416.tif 000008
【図７】
2015537416.tif 000009
【国際調査報告】
2015537416.tif 000010
2015537416.tif 000011